(57)【要約】【課題】  往路と復路の記録位置を記録ヘッドの走査方向に正確に垂直位置に配置できるようなレジ調整を行う。【解決手段】  往路と次の復路の着弾位置のみではなく、さらに復路の次の往路の着弾位置も着目して調整値を決定する。【選択図】  図８
2005219320.tif 000002
【特許請求の範囲】
【請求項１】
それぞれがインクを吐出する所定方向に配列された複数の記録素子を有する記録ヘッドを搭載したキャリッジを、前記記録素子の配列方向と交差する主走査方向に記録媒体上で往復走査させて画像を記録する記録装置であって、
往復記録時において、行路の一方向のドット形成位置を基準に対し、もう一方の方向のドット形成位置が異なる線形状のパッチデータからなるテストパターン保持手段と、
前記記録装置のオペレーションパネルまたは前記記録装置に接続された情報処理装置上のユーザインターフェース画面の操作によって、前記テストパターンを往方向および復方向で記録するテストパターン記録手段と、
前記テストパターンから最も直線状に見えるパッチを選択し、選択したパッチに対応するレジ調整値情報を前記記録装置に設定する設定手段と、
前記レジ調整値情報に対応した調整テーブルを保持する調整テーブル保持手段と、
前記記録装置が、前記情報に対応する前記調整テーブルを用いて往復記録時のドット形成位置を調整するドット形成位置調整手段と、
を有することを特徴とする記録装置。
【請求項２】
前記テストパターン記録手段において、前記のテストパターンは、往復記録時の一方方向のドット形成位置を基準に、もう一方方向のドット形成位置を主走査方向に徐々にずらした線形状のパッチデータを、主走査方向に垂直に少なくと３回以上繰り返して構成され、往方向と復方向を交互に繰り返して記録されることを特徴とする請求項１に記載の記録装置。
【請求項３】
前記の各パッチデータは、ドット形成位置のずれを際出せるための画像データであって、記録媒体へのインクの着弾後時および着弾後の記録特性を視認性の良好なドットで形成するデータで記録することを特徴とする請求項１に記載の記録装置。
【請求項４】
前記の各パッチデータは、各々往復記録において、基準となる方向で記録時のドット形成タイミングは同一タイミングであり、非基準方向で記録時に異なるドット形成タイミング（吐出タイミング）で記録することを特徴とする請求項１に記載の記録装置。
【請求項５】
前記の各パッチデータは、各々記録ヘッドにおいて、同一の記録素子を使用して記録されることを特徴とする請求項１に記載の記録装置。
【請求項６】
前記の各パッチデータは、記録媒体の搬送を行わずに、記録媒体の停止状態において記録されることを特徴とする請求項１に記載の記録装置。
【請求項７】
前記のドット形成位置調整手段は、前記記録ヘッドを構成する各色のノズル毎にドット形成位置を調整可能とすることを特徴とする請求項１に記載の記録装置。
【請求項８】
前記のドット形成位置調整手段は、前記レジ調整値情報を用いて、前記テストパターンの記録方法とは異なる記録ヘッドのスキャンスピードで画像データを記録する際に補正する手段を持つことを特徴とする請求項１に記載の記録装置。
【請求項９】
前記のテストパターン記録手段は、前記記録ヘッドのスキャンスピード毎に記録し、前記レジ調整値情報および前記調整テーブルはスキャンスピード毎に保持し、前記ドット形成位置調は、スキャンスピード毎に調整可能とすることを特徴とする請求項１に記載の記録装置。
【発明の詳細な説明】
【技術分野】
【０００１】
本発明は、インクジェット記録装置及び該装置における記録タイミング設定方法に関し、特に、インクを吐出する記録ヘッドを搭載したキャリッジを、記録媒体上で走査させて記録を行い、前記キャリッジの走査方向における所定距離の移動に応じて検出信号を出力するエンコーダを有するインクジェット記録装置における記録タイミングの設定に関する。
【背景技術】
【０００２】
例えばパーソナルコンピュータ、ワードプロセッサ、ファクシミリ等に於ける情報出力装置として、所望される文字や画像等の情報を用紙やフィルム等シート状の記録媒体に記録を行うプリンタが広く使用されている。
【０００３】
プリンタの記録方式としては様々な方式が知られているが、用紙等の記録媒体に非接触記録が可能、カラー化が容易、静粛性に富む、等の理由でインクジェット方式が近年特に注目されており、又その構成としては所望される記録情報に応じてインクを吐出する記録ヘッドをキャリッジに搭載すると共に用紙等の記録媒体の送り方向と交差する方向に往復走査しながら記録を行うシリアル記録方式が安価で小型化が容易などの点から一般的に広く用いられている。
【０００４】
その中で、記録速度を向上させるために、キャリッジを記録媒体に対して移動させる際の往路と復路との両方で記録ヘッドからインクを吐出させて記録を行う、往復記録あるいは双方向記録と呼ばれる記録方法が多く採用されている。
【０００５】
さらに、近年は、記録速度をより向上させるために、記録ヘッドには記録素子であるノズルを多数集積配列する多ノズルヘッドと称する記録ヘッドが採用される傾向にある。
【０００６】
図４は、記録ヘッドの移動速度（走査速度）とインク滴の着弾位置との関係を示す図である。不図示のキャリッジに搭載された記録ヘッド３０１が、図中Ａで示す方向に基準速度Ｖで移動している場合について考察する。記録ヘッド３０１と記録媒体３０５との間隔がｄであり、記録ヘッド３０１が３０７で示す位置でインク滴３０３を吐出速度Ｖｄで記録媒体３０５に向かって吐出すると、インク滴３０３は基準速度Ｖと吐出速度Ｖｄとをベクトル合成した速度及び方向に飛翔する。インク滴３０３の記録媒体３０５上の着弾位置は、記録ヘッド３０１が実際にインク滴３０３を吐出した位置３０７に対して、移動方向Ａにδで示す距離だけずれて、３０６で示す位置となる。
【０００７】
往復記録を行う場合について考えると、Ａで示した方向を記録ヘッド３０１の往路の移動方向とすると、復路の移動方向はＡと反対のＢで示す方向となる。ここで、往路において記録ヘッド３０１がインク滴３０３を吐出した位置３０７と同じ位置で復路においてインクを吐出した場合、インク滴３０３は位置３０７について往路の着弾位置３０６と反対方向に距離δだけずれた位置３１０に着弾することとなる。結果として、往路と復路で同じ位置でインク滴を吐出しても、３０６と３１０との距離、すなわち、２×δだけ記録媒体上で着弾位置がずれることになる。
【０００８】
このような往路と復路での着弾位置のずれをなくすために、インクジェットプリンタでは、通常は記録ヘッドが定速で移動する領域でインク滴が吐出されることを利用して、往路での吐出位置３０７に対応したタイミング３０７に対して、復路では１つ前のタイミング３１１に所定の遅延時間（ディレイ）３１２を加えたタイミング３１３でインク滴を吐出するように制御して、往復記録でのレジストレーション調整（以下、単に「レジ調整」とも称する）を行っている。
【０００９】
従来の記録装置における往復記録でのレジ調整を行う技術として、往復走査方向に垂直な縦直線パターンによるテストパターンを往走査方向と復走査方向で記録して行うものが特許文献１の図４に開示されている。
【００１０】
以下、図５により従来の往復記録でのレジ調整について、説明する。
【００１１】
図５の（Ａ），（Ｂ）は、夫々、両方向の間に記録媒体の送りが介在するタイプの両方向印字を行う場合の往路と復路の往路印字データ（Ａ）と復路印字データ（Ｂ）である。
【００１２】
例えば、テストパターンとして、（Ａ）と（Ｂ）を、往路方向の吐出タイミングを基準とし、復路方向の吐出タイミングをずらして（ａ）〜（ｇ）を印字する。
【００１３】
この場合、正常なレジ調整ができている記録パターンが、（ｃ）の往復走査方向に関して垂直な縦直線である。つまり、縦８ドットの直線を横４ドットおきに、往復交互に印字することで、１つの縦直線テストパターンを形成させている。
【００１４】
両方向の印字タイミングが縦直線テストパターンの直線性でずれていると、縦直線テストパターンの直線性が崩れた罫線であるか否かが判断できる。
【００１５】
図５の従来例において、操作者はテストパターンを印字終了後、この複数パターンの内最も直線性に優れたパターンを選択し、何らかの方法により記録装置にその選択値を入力する。その後、記録装置では選択値に対応した復路方向の吐出タイミングを補正する。
【特許文献１】特開平０７−０８１１９０公報
【発明の開示】
【発明が解決しようとする課題】
【００１６】
しかしながら、記録素子であるノズルを多数集積配列する多ノズルヘッドと称する記録ヘッドの場合、その多くが記録ヘッドの走査方向に垂直方向に配列されてはいても、記録ヘッドや記録ヘッドを装着する記録装置の製造工程上、必ずしも全ての機器において、正確に垂直な角度に構成しているとは限らない。
【００１７】
その結果、多ノズルヘッドの各ノズルから同じ吐出タイミングでインクを吐出して記録媒体へ記録しても、多ノズルヘッドの先端部のノズルと後端部のノズルから吐出されたインクの着弾位置を結んだ直線と、記録ヘッドの走査方向に垂直にならない場合がある。
【００１８】
また、記録ヘッドの走査方向に対し、記録ヘッドのノズルが上下に角度を持って構成される場合もあるが、その場合、吐出してから着弾するまでの距離が異なり、その結果、記録媒体への着弾位置が記録ヘッドの走査方向に垂直にならない場合がある。
【００１９】
さらに、インクを吐出するインクジェットプリンタの場合、吐出するインクは主液滴の後続としてサテライト滴が飛翔して記録媒体に着弾し、主液滴とサテライト滴を含めたトータルな液滴で記録画像を形成することが知られているが、サテライト滴の飛翔具合は、機器によって個体差があり、上述した多ノズルの記録ヘッドを搭載した記録装置個々の個体差によって、更に着弾位置がずれ、記録画像にずれを生じる場合がある。
【００２０】
従来例のように、往路方向と、復路方向でテストパターンを印字し、その中から適切なパターンを選択する方法では、上述した記録ヘッドの走査方向に対する角度による着弾位置のずれが影響する記録画像のずれを補正することができない。
【００２１】
例えば、多ノズルヘッドの着弾位置が、記録ヘッドの走査方向に対し、時計と反対方向に傾いてずれている場合、従来例の図５の方法で直線パターンを記録すると、図６に示すようなテストプリントが記録される。
【００２２】
図６のパターンの中で、最も直線的に見えるパターンは（ａ）であるが、往復方向の着弾位置レジ調整値を（ａ）と決定すると、記録ヘッドの走査方向に垂直な直線画像データを印字すると、図７のような結果となってしまう。
【００２３】
これは、従来の方法では、基準となる往路と次の復路の着弾位置を記録したテストパターンからレジ調整値を決定していたためであり、復路と次の往路の着弾位置に着目できなかったからである。
【００２４】
上述のとおり、従来の方法では、記録ヘッドの走査方向に対し、傾きを持って着弾される機器においては、十分なレジ調整を行うことが出来なかった。
【課題を解決するための手段】
【００２５】
そのため、本発明は、それぞれがインクを吐出する所定方向に配列された複数の記録素子を有する記録ヘッドを搭載したキャリッジを、前記記録素子の配列方向と交差する主走査方向に記録媒体上で往復走査させて画像を記録する記録装置であって、往復記録時において、行路の一方向のドット形成位置を基準に対し、もう一方の方向のドット形成位置が異なる線形状のパッチデータからなるテストパターン保持手段と、前記記録装置のオペレーションパネルまたは前記記録装置に接続された情報処理装置上のユーザインターフェース画面の操作によって、前記テストパターンを往方向および復方向で記録するテストパターン記録手段と、前記テストパターンから最も直線状に見えるパッチを選択し、選択したパッチに対応するレジ調整値情報を前記記録装置に設定する設定手段と、前記レジ調整値情報に対応した調整テーブルを保持する調整テーブル保持手段と、前記記録装置が、前記情報に対応する前記調整テーブルを用いて往復記録時のドット形成位置を調整するドット形成位置調整手段と、を有することを特徴とする。
【発明の効果】
【００２６】
本発明によれば、往路と復路の記録位置を記録ヘッドの走査方向に正確に垂直位置に配置できるようなレジ調整を行うことが可能となる。
【００２７】
つまり、従来の方法では、基準となる往路と次の復路の着弾位置を記録したテストパターンからレジ調整値を決定していたのに対し、復路と次の往路の着弾位置も着目して調整値を決定し、適切なレジ調整処理が行える。
【発明を実施するための最良の形態】
【００２８】
以下、図面を参照して本発明の実施形態を詳細に説明する。
【００２９】
＜概要＞
本発明の各実施形態において記録装置のレジ調整値を検出する方法は、主走査方向のドット形成位置を調整可能な状況において、往復記録時の一方方向のドット形成位置を基準に、もう一方方向のドット形成位置を主走査方向に徐々にずらした線形状のパッチデータを、主走査方向に垂直に少なくと３回以上繰り返して構成されるテストパターンを、往方向と復方向を交互に繰り返して記録し、テストパターンから最も直線状に見えるパッチを選択することにより行う。
【００３０】
そして、以上のようにして得られたレジ調整値に対応した、記録ヘッドの吐出タイミングの補正は、記録データの往復記録時に、非基準となるもう一方の方向のドット形成位置をレジ調整値に対応した位置に変えることによって行う。
【００３１】
以下、図面を参照して本発明の記録装置に係わる実施形態を説明する。なお、以下に説明する実施形態では、インクジェット記録方式を用いた記録装置としてプリンタを例に挙げ説明する。
【実施例１】
【００３２】
図1は、本発明の一実施形態に係わる記録システムの構成を示すブロック図である。
【００３３】
図において、情報処理装置としてのホスト１００は、例えばパーソナルコンピュータとして実現されるものであり、ＣＰＵ１０と、メモリ１１と、外部記憶装置１３と、キーボード等の入力部１２と、プリンタ２００との間の通信のためのインターフェースとを備えている。ＣＰＵ１０は、メモリ１１に格納されたプログラムに従い、種々の処理を実行するものであり、特に後述の色処理、量子化処理等の画像処理さらには本実施形態に関る記録特性の補正処理を実行する。これらのプログラムは外部記憶装置１３に記憶され、或いは外部装置から供給される。ホスト１００はインターフェースを介して記録装置としてのプリンタ２００と接続されており、画像処理を施した記録データをプリンタ２００に送信して記録を行わせることができる。
【００３４】
＜プリンタ構成＞
図２は、上述したプリンタ２００機械的構成を示す概略斜視図である。
【００３５】
図２において、１は紙或いはプラスチックシート等の記録シートを示し、カセット等に複数枚が積層されることにより、記録時には給紙ローラ（不図示）によって一枚ずつ分離されて供給される。そして、一定間隔を隔てて配置され、夫々個々のステッピングモータ（図示せず）によって駆動される第１搬送ローラ対３及び第２搬送ローラ対４によって、記録ヘッドの走査に応じたタイミングで図中矢印Ａ方向に所定量づつ搬送される。
【００３６】
５は、記録シート１にインクを吐出して記録を行うためのインクジェット方式の記録ヘッドを示す。記録ヘッドに対するインク供給は、不図示のインクカートリッジから供給され、記録ヘッド５は、吐出信号に応じて駆動されることによりそのインク吐出口よりインクを吐出する。より詳細には、記録ヘッドの各インク吐出口に対応したインク路には電気熱変換素子が設けられており、この電気熱変換素子が発生する熱エネルギーを利用してインクに気泡を発生させこの気泡の圧力によってインクを吐出するものである。この記録ヘッド５及びインクカートリッジはキャリッジ６に搭載される。キャリッジ６にはベルト７及びプーリ８ａ，８ｂを介してキャリッジモータ２３の駆動力が伝達され、これにより、キャリッジ６はガイドシャフト９に沿って往復移動でき、記録ヘッドの走査を行うことが可能となる。
【００３７】
以上の構成において、記録ヘッド５は、図中矢印Ｂ方向に走査しながら吐出信号に応じて記録シート１にインクを吐出してシート１上にインクのドットを形成して記録を行うことができる。記録ヘッド５は、必要に応じてホームポジションに移動し、吐出回復装置２による回復動作を行うことにより、吐出口の目づまり等を防止したり解消する。記録ヘッド５の上記走査に同期して、搬送ローラ対３，４が駆動され、記録シート１は、矢印Ａ方向に１行分搬送される。この動作を繰り返すことによって記録シート１に画像等の記録を行うことができる。
【００３８】
図３は、上述したプリンタの制御構成を示すブロック図である。
【００３９】
この制御系は、図３に示すように、例えばマイクロプロセッサ等のＣＰＵ２０ａ，ＣＰＵ２０ａの制御プログラムや各種データを格納しているＲＯＭ２０ｂ，及びＣＰＵ２０ａのワークエリアとして使用されると共に記録データなどの各種データの一時保管等を行うＲＡＭ２０ｃ等を備えた制御部２０、インターフェース２１、操作パネル２２、各モータ（キャリッジ駆動用のモータ２３、給紙ローラ駆動用のモータ２４、第１搬送ローラ対駆動用のモータ２５、第２搬送ローラ対駆動用のモータ２６）を駆動するためのドライバ２７、及び記録ヘッド５を駆動するためのドライバ２８を有している。
【００４０】
以上の構成において、制御部２０は、インターフェース２１を介してホスト１００との間で記録データ等のデータを入出力する処理や操作パネル２２から各種情報（例えば文字ピッチ、文字種類等）入力する処理を行う。また、制御部２０は、インターフェース２１を介して各モータ２３〜２６を駆動させるためのＯＮ，ＯＦＦ信号を出力し、また、吐出信号等をドライバ２８に出力して記録ヘッドにおけるインク吐出のための駆動を制御する。
【００４１】
＜レジ調整値検出方法＞
次に、本実施形態におけるレジ調整値検出方法とそれに基づく補正方法について説明する。
【００４２】
図８は、記録装置プリンタ２００において行われるレジ調整値検出手順を示すフローチャートである。
【００４３】
この処理は、補正の対象である記録装置プリンタ２００のオペレーションパネル上で、ステップＳ１１０でユーザがこのモードを選択することにより起動される。そして、ステップＳ１２０で、レジ調整値を検出するための検出パターンの記録をプリンタ２００に行わせる。
【００４４】
この検出パターンデータの詳細を図９に示す。
【００４５】
図９において、Ｄ１、Ｄ２はテストパターンを往復記録する際の、記録データで、Ｄ１は往路方向に記録する場合の記録データ、Ｄ２は復路方向に記録する場合の記録データである。
【００４６】
図９の記録データを用いて記録するテストパターンの詳細を図１０に示す。
【００４７】
最初に、多ノズルの一部のノズルまたは全ノズルを使用して、パターンＰ１１を記録する。
【００４８】
パターンＰ１１の記録順序は、例えば往路方向を基準となる方向として、まず記録データＤ１を往路方向に例えば９回繰り返して記録する。続いて、記録媒体を搬送せずに、例えば復路方向を非基準となる方向として、記録データＤ２を復路方向に例えば９回繰り返して記録する。Ｄ２は、非基準方向としての所定の吐出タイミングに対し、タイミングを早めて記録する。多ノズルの全てのノズルを１スキャンで記録できる記録ヘッドの走査方向に対して垂直方向の領域は、Ｄ１の記録領域またはそれ以上となる。
【００４９】
次に、記録媒体を搬送し、パターンＰ１２を記録する。
【００５０】
Ｐ１２はＰ１１と同じノズルを使用して、Ｐ１１と同じ記録データをＰ１１と同じ方法で記録する。復路方向の記録は、Ｐ１１のＤ２の吐出タイミングよりも遅くする。これを繰り返し、復路方向の記録タイミングを徐々に変化させて、パターンＰ１３、Ｐ１４、Ｐ１５を記録する。
【００５１】
ステップＳ１３０では、記録された図１０のパターンの中から、最も直線的に見えるパターンをレジ調整値として選択する。例えば、図１０の場合、Ｐ１２が最も適切なレジ調整値となる。
【００５２】
続いて、ステップＳ１４０で、選択したパターンの番号の入力処理を行う。すなわち、ユーザが記録装置プリンタのオペレーションパネルを介して入力したパターン番号を記録装置の所定のメモリ領域に格納する（ステップＳ１５０）。
【００５３】
＜レジ調整方法＞
図１１は、ホスト１００およびプリンタ２００において行われるレジ調整方法を示すフローチャートである。この処理は、ステップＳ２１０で、ホスト１００のＧＵＩ上から記録データの記録操作、またはプリンタ２００のオペレーションパネルから記録データの記録操作を行うことにより起動される。
【００５４】
次にステップＳ２２０で、図８のステップＳ１５０で記録装置に格納したレジ調整値を取得する。次いで、ステップＳ２３０で、非基準側方向の吐出タイミングをステップＳ２２０で取得したレジ調整値に対応した補正をかけ、ステップＳ２１０で記録操作された記録データを記録する。以上の処理によりレジ調整値取得およびレジ調整処理が完了する。
【００５５】
例えば、記録ヘッドの走査方向に対し、傾きを持って着弾される機器において記録された図１０のテストパターンにおいて、Ｐ１２がレジ調整値として入力された場合、記録ヘッドの走査方向に垂直な直線状の記録データを記録すると、図１２に示すような記録結果となる。
【００５６】
なお、上述の実施形態では、記録ヘッドの記録方向の基準を往路方向、非基準を復路方向としたが、基準を復路方向、非基準を往路方向としても構わない。
【００５７】
また、図９のＤ１を往路方向、Ｄ２を復路方向の記録データとしたが、Ｄ２を往路方向、Ｄ１を復路方向の記録データとしても構わない。
【００５８】
また、記録データＤ１およびＤ２によって、テストパターンは記録ヘッドの主走査方向に垂直な直線状のパターンが３回繰り返して構成されるが、３回以上繰り返して構成されても構わない。
【００５９】
また、記録データＤ１およびＤ２の縦横サイズは１４ｘ１６で構成されているが、そのサイズは１４ｘ１６以下または以上でも構わず、縦横サイズの比が異なっても構わない。
【実施例２】
【００６０】
続いて、本発明の実施例２について図を参照して詳細に説明する。
【００６１】
第１の実施例に対して、記録ヘッドのスキャンスピードに応じてレジ調整値情報に補正をかけても構わない。
【００６２】
本実施例における、レジ調整値情報を補正してレジ調整する方法について説明する。
【００６３】
＜レジ調整方法＞
図１３は、ホスト１００およびプリンタ２００において行われるレジ調整方法を示すフローチャートである。この処理は、ステップＳ３１０で、ホスト１００のＧＵＩ上から記録データの記録操作、またはプリンタ２００のオペレーションパネルから記録データの記録操作を行うことにより起動される。
【００６４】
次にステップＳ３２０で、図８のステップＳ１５０で記録装置に格納したレジ調整値を取得する。次にステップＳ３３０で、ステップＳ３２０で格納したレジ調整値に対し、Ｓ３１０で走査された記録データを記録する際の記録ヘッドのスキャンスピードに対応した、予め記録ヘッドに格納されているスキャンスピード毎の補正値を用いて補正する。次いで、ステップＳ３４０で、非基準側方向の吐出タイミングをステップＳ３３０で補正したレジ調整値に対応した補正をかけ、ステップＳ３１０で記録操作された記録データを記録する。
【００６５】
以上の処理によりスキャンスピードに対応したレジ調整処理が完了する。
【００６６】
レジ調整値情報の補正方法以外の構成、および作用効果は第１の実施形態と同様であるので、詳細な説明は省略する。
【実施例３】
【００６７】
続いて、本発明の実施例３を、図を参照して詳細に説明する。
【００６８】
実施例１の構成に対して、テストパターンを記録ヘッドのスキャンスピード毎に記録し、レジ調整値情報および調整テーブルはスキャンスピード毎に保持し、記録データの記録時にスキャンスピードに対応したレジ調整しても構わない。
【００６９】
本実施形態における、スキャンスピード毎にレジ調整する方法について説明する。
【００７０】
＜レジ調整値検出方法＞
次に、本実施形態におけるレジ調整値検出方法とそれに基づく補正方法について説明する。図１４は、記録装置プリンタ２００において行われるレジ調整値検出手順を示すフローチャートである。この処理は、補正の対象である記録装置プリンタ２００のオペレーションパネル上で、ステップＳ４１０でユーザがこのモードを選択することにより起動される。そして、ステップＳ４２０で、レジ調整値を検出するための検出パターンとして、図１０のテストパターン一式を異なるスキャンスピードの記録を同一ページまたは複数ページでプリンタ２００に行わせる。
【００７１】
ステップＳ４３０では、各キャリッジスピードで記録された図１０のパターンの中から、スキャンスピード毎に各々最も直線的に見えるパターンをレジ調整値として選択する。続いて、ステップＳ４４０で、スキャンスピード毎に選択したパターンの番号の入力処理を行う。すなわち、ユーザが記録装置プリンタのオペレーションパネルを介して入力したスキャンスピード毎のパターン番号を記録装置の所定のメモリ領域に格納する（ステップＳ４５０）。
【００７２】
＜レジ調整方法＞
図１５は、ホスト１００およびプリンタ２００において行われるレジ調整方法を示すフローチャートである。この処理は、ステップＳ５１０で、ホスト１００のＧＵＩ上から記録データの記録操作、またはプリンタ２００のオペレーションパネルから記録データの記録操作を行うことにより起動される。
【００７３】
次にステップＳ５２０で、図１４のステップＳ４５０で記録装置に格納したレジ調整値としてステップＳ５１０に指定されたスキャンスピードに対応したレジ調整値を取得する。次いで、ステップＳ５３０で、非基準側方向の吐出タイミングをステップＳ５２０で取得したレジ調整値に対応した補正をかけ、ステップＳ５１０で記録操作された記録データを記録する。
【００７４】
以上の処理によりレジ調整値取得およびレジ調整処理が完了する。
【００７５】
レジ調整値取得およびレジ調整処理方法以外の構成、および作用効果は第１の実施形態と同様であるので、詳細な説明は省略する。
【図面の簡単な説明】
【００７６】
【図１】本発明の一実施形態に係る記録装置を示すブロック図である。
【図２】上記記録装置におけるインクジェットプリンタの主要部の機構を示す斜視図である。
【図３】上記プリンタの制御構成を示すブロック図である。
【図４】上記インクジェットプリンタのヘッドの移動速度（走査速度）とインク滴の着弾位置との関係を示す図である。
【図５】上記インクジェットプリンタの従来の往復記録でのレジ調整を説明するためのテストパターン図である。
【図６】上記インクジェットプリンタの従来の往復記録でのレジ調整を説明するためのテストプリント図である。
【図７】上記インクジェットプリンタの従来の往復記録でのレジ調整による直線状記録データの記録結果を説明する図である。
【図８】本発明の一実施形態におけるレジ調整値検出の処理手順を示すフローチャートである。
【図９】本発明の一実施形態におけるレジ調整値検出用テストパターンの記録データを説明する図である。
【図１０】本発明の一実施形態に係るレジ調整値検出のためのテストパターンを説明する図である。
【図１１】本発明の一実施形態におけるレジ調整処理手順を示すフローチャートである。
【図１２】本発明の一実施形態におけるレジ調整による直線状記録データの記録結果を説明する図である。
【図１３】本発明の一実施形態におけるスキャンスピードに応じて補正したレジ調整処理手順を示すフローチャートである。
【図１４】本発明の一実施形態におけるスキャンスピード毎のレジ調整値検出の処理手順を示すフローチャートである。
【図１５】本発明の一実施形態におけるスキャンスピード毎のレジ調整処理手順を示すフローチャートである。
【符号の説明】
【００７７】
１００  ホスト
２００  プリンタ
１０  ＣＰＵ
１１  メモリ
１２  入力部
１３  外部記憶部
１４  インターフェース
５  記録ヘッド
【図１】
2005219320.tif 000003
【図２】
2005219320.tif 000004
【図３】
2005219320.tif 000005
【図４】
2005219320.tif 000006
【図５】
2005219320.tif 000007
【図６】
2005219320.tif 000008
【図７】
2005219320.tif 000009
【図８】
2005219320.tif 000010
【図９】
2005219320.tif 000011
【図１０】
2005219320.tif 000012
【図１１】
2005219320.tif 000013
【図１２】
2005219320.tif 000014
【図１３】
2005219320.tif 000015
【図１４】
2005219320.tif 000016
【図１５】
2005219320.tif 000017